(57)【特許請求の範囲】
【請求項１】
上面開口を有する有底箱状に形成されていて、少なくとも端部同士を重ね合わせた状態で交互に折り畳まれた複数枚のティッシュペーパを収容可能なボックス本体と、上層のティッシュペーパから順次引き出すためのペーパ取出口が形成されていて、ボックス本体内でティッシュペーパ上に載置される落し蓋とを備えたティッシュボックスにおいて、落し蓋内に中空の収容部が形成され、当該収容部と落し蓋の外部とを連通する連通孔が落し蓋に設けられるとともに、収容部内に芳香材が収容されていることを特徴とするティッシュボックス。
【請求項２】
落し蓋に芳香材の出し入れ開口が形成されていて、当該出し入れ開口は開口カバーにより開閉可能に封止されることを特徴とする請求項１に記載のティッシュボックス。
【請求項３】
落し蓋および／または開口カバーが透明材ないし半透明材で形成されていて、収容部内が外部から透視可能に構成されていることを特徴とする請求項２に記載のティッシュボックス。
【請求項４】
連通孔が、落し蓋の底部であって最上層のティッシュペーパと接する部位に穿設されていることを特徴とする請求項１ないし請求項３のいずれかに記載のティッシュボックス。
【請求項５】
芳香材がポプリである請求項１ないし請求項４のいずれかに記載のティッシュボックス。
【発明の詳細な説明】
【０００１】
【発明の属する技術分野】
本発明は、ボックス本体内に積層されたティッシュペーパを落し蓋で抑えておく構成のティッシュボックスに関する。
【０００２】
【従来の技術】
一般に、街頭などで頂戴したポケットティッシュの包装には、品のない消費者金融会社や風俗営業店のコマーシャルメッセージを表示したものが多い。そのため、折角いただいたポケットティッシュであっても人前では使いにくいことから、ほとんどが引出しなどに片づけられ使用されていないのが実情である。
【０００３】
そこで、折角のポケットティッシュを有効利用するために、上面開口を有する有底箱状に形成されたティッシュペーパ収容用のボックス本体と、ボックス本体内でティッシュペーパ上に載置される落し蓋とを備えたティッシュボックスが提案されている。落し蓋には上層のティッシュペーパから順次引き出すためのペーパ取出口が形成されている。かかるティッシュボックスでは、頂戴したポケットティッシュの包装を破り、折り畳んだまま一体のティッシュペーパの束を包装から取り出してそのままボックス本体内へ移し替えたのち、ティッシュペーパ上に落し蓋を載置して使用されていた。
【０００４】
【発明が解決しようとする課題】
しかしながら、頂いたポケットティッシュを前述のティッシュボックスに移し替えて使用するにしても、ティッシュペーパやティッシュボックスからの香りを楽しむことができず、商品としての付加価値が低いという問題があった。
一方で、レギュラーサイズのティッシュペーパ（折り畳みサイズ＝縦２３０ｍｍ程度×横１１０ｍｍ程度）を収容したティッシュボックスがよく売れている。かかるティッシュボックスは紙製であり、表面にメーカのコマーシャルメッセージが印刷されているが安っぽくて味気ない。
【０００５】
本発明は、上記した従来の問題点に鑑みてなされたものであって、頂戴したティッシュペーパを有効利用でき、そのうえ、上品な香りを楽しめて付加価値の高いティッシュボックスの提供を目的とする。
【０００６】
【課題を解決するための手段】
上記目的を達成するために、本発明に係るティッシュボックスは、上面開口を有する有底箱状に形成されていて、少なくとも端部同士を重ね合わせた状態で交互に折り畳まれた複数枚のティッシュペーパを収容可能なボックス本体と、上層のティッシュペーパから順次引き出すためのペーパ取出口が形成されていて、ボックス本体内でティッシュペーパ上に載置される落し蓋とを備えたティッシュボックスにおいて、落し蓋内に中空の収容部が形成され、当該収容部と落し蓋の外部とを連通する連通孔が落し蓋に設けられるとともに、収容部内に芳香材が収容された構成にしてある。
【０００７】
また、前記の構成において、落し蓋に芳香材の出し入れ開口が形成されていて、当該出し入れ開口は開口カバーにより開閉可能に封止されたものである。
【０００８】
そして、前記の構成において、落し蓋および／または開口カバーが透明材ないし半透明材で形成されていて、収容部内が外部から透視可能に構成されているものである。
【０００９】
更に、上記の各構成における連通孔が、落し蓋の底部であって最上層のティッシュペーパと接する部位に穿設されているものである。
【００１０】
また、上記の各構成における芳香材がポプリであるものである。
【００１１】
【発明の実施の形態】
以下、本発明の実施の形態を図面に基づいて詳しく説明する。
図１は本発明の一実施形態に係るティッシュボックスを示す組立分解図、図２はティッシュボックスの平面図、図３は図２におけるＡ−Ａ線断面図である。
各図において、符号１は本実施形態に係るティッシュボックス１を示している。このティッシュボックス１は、ティッシュペーパ（以下、必要な場合以外はペーパと略称する）Ｐを収容するボックス本体２と、ボックス本体２内でペーパＰの上面に載置される落し蓋３と、落し蓋３内の底部１０上に敷かれる下敷き紙４と、落し蓋３の上面を被う開口カバー５とを備えて構成されている。一般に、ペーパＰ，Ｐ，・・・は２枚一組として複数組が端部同士を重ね合わせた状態で交互に折り畳まれている。
【００１２】
前記のボックス本体２は、図４および図５に示すように、平面視矩形状の底部７の周縁に沿って周壁６が一体に立設されている。これにより、ボックス本体２は上面開口９を有する有底箱状に形成されていて、ボックス内にはペーパ収容部８が形成される。ペーパ収容部８は、上記のように折り畳まれた複数組のペーパＰ，Ｐ，・・・を収容できる広さと寸法に設定されている。
【００１３】
前記の落し蓋３は、図６および図７に示すように、平面視矩形リング状となっている底部１０の外周縁全周にわたり外周壁１１が立設されている。外周壁１１はボックス本体２の周壁６の内周面に対しペーパ収容部８内で落し蓋３が上下移動可能な外形・寸法に形成されている。底部１０の中央部分には平面視楕円形のペーパ取出口１３が形成されている。このペーパ取出口１３はペーパ収容部８内に収容されたペーパＰにつき最上層のペーパＰｔから順次引き出すためのものである。また、ペーパ取出口１３の周縁全周にも内周壁１２が立設されている。内周壁１２の上端高さは外周壁１１の上端よりもいくぶん高く設定されている。
【００１４】
外周壁１１と内周壁１２と底部１０とに囲まれた空間は、芳香材２０（この例ではポプリ）を収容する収容部１４となっている。収容部１４の上面開口は芳香材２０の出し入れ開口２１となっていて、この出し入れ開口２１は開口カバー５により開閉可能に封止される。
そして、落し蓋３の底部１０における最上層のペーパＰｔと接する部位には、収容部１４内と落とし蓋３の外部（この例では、ボックス本体２内のペーパ収容部８）とを連通する多数の連通孔５，５，・・・が穿設されている。
【００１５】
前記の下敷き紙４は、図１および図３に示すように、落し蓋３の底部１０全面を被える広さと形状に形成されていて、その中央部に落し蓋３の内周壁１２を挿通可能な挿通孔１６が形成されている。この下敷き紙４は、例えば和紙や不織布などのような見た目に美しい素材で構成されていて、空気や香りは通過させるが使用中に細粒化した芳香材２０（ポプリ）は連通孔１５，１５，・・・から落下させないようになっている。
【００１６】
前記の開口カバー５は、図８および図９に示すように、平面視矩形板状に形成されていて、その中央部分に落し蓋３の内周壁１２を挿通できる大きさ・寸法の挿通孔１７が穿設されている。挿通孔１７の内周面は下向きにわずか拡開したテーパ面１９となっている。このテーパ面１９は内周壁１２の外周面の傾きに対応しており、出し入れ開口２１に開口カバー５を蓋着したとき内周壁１２の外周面と密着するようになっている。また、開口カバー５の下面周縁は切り欠かれていて、外周壁１１の上端と係合する段部１８になっている。これらテーパ面１９と段部１８の存在により、開口カバー５が落し蓋３上に係止されて出し入れ開口２１を封止するようになっている。
開口カバー５および落し蓋３はいずれも透明な合成樹脂材で形成されている。斯かる構成により、収容部１４内の芳香材２０（ポプリ）や下敷き紙４を外部から透視して楽しめるようになっている。
【００１７】
この実施形態のティッシュボックス１は上述したように構成されている。ここで、ティッシュボックス１の使用態様について説明する。
まず、下敷き紙４を落し蓋３内に入れて底部１０の上面に敷く。次に、下敷き紙４上に芳香材２０であるポプリを敷き詰める。その後、出し入れ開口２１に開口カバー５を被着して出し入れ開口２１を封止する。すなわち、底部１０の上面、外周壁１１の内周面、内周壁１２の外周面、および、開口カバー５の下面に囲まれた中空の空間が、本発明にいう収容部となる。
【００１８】
続いて、例えばノベルティ商品として頂戴したポケットティッシュの包装を破り、一体に畳まれたままのペーパＰ，Ｐ，・・・を取り出してボックス本体２のペーパ収容部８内へ収容する。その後、落し蓋３をボックス本体２の上面開口９からペーパ収容部８内に落として最上層のペーパＰｔ上に載置する。続いて、ペーパＰｔの一部分を落し蓋３のペーパ取出口１３から引き出しておく。
【００１９】
かかる状態のティッシュボックス１を玄関や居間などに置いておくと、収容部１４内の芳香材２０からの香りが、連通孔１５，１５，・・・を通してペーパ収容部８内のペーパＰｔ，Ｐに移行し、更にはペーパ取出口１３から周囲に飛散する。その場合、連通孔１５，１５，・・・は最上層のペーパＰｔであたかも蓋止されることとなるので、香りを無駄に損失しない。
また、ペーパの使用にあたっては、香りの移行した最上層のペーパＰｔを抜き出すこととなり、ペーパＰｔを抜き出す際に使用者はもとより、周囲にも上品な芳香が与えられる。
【００２０】
加えて、このティッシュボックス１では開口カバー５および落し蓋３を通して収容部１４内を透視できるので、収容部１４内に収容されている芳香材２０（例えば、図２に符号２０の１点鎖線で示した）や下敷き紙４のデザインなどを外部から見て楽しむことができる。特に、芳香材２０がポプリである場合は、得られた視覚情報により人のナチュラル指向が満たされることは言うまでもなく、ポプリから発せられる微香性で上品な香りによるアロマテラピィー効果により、使用者は心身ともに癒されるのである。
【００２１】
また、開口カバー５を取り外して出し入れ開口２１を開くことにより、落し蓋３の収容部１４に芳香材２０を詰め替えることができる。例えば、そのときの気分によりポプリから芳香ビーズに代えてみたり、あるいは同じポプリであっても種類やブレンド比率の異なるものに詰め替えたりすることができる。これらの詰め替え後は開口カバー５により出し入れ開口２１を封止できるので、香りが無駄に飛散することがない。
【００２２】
尚、上記の実施形態では、ティッシュボックス１を平面視矩形に形成したが、それに限らず、平面視で例えば円形、楕円形、長円形、多角形などに形成しても構わない。また、ポケットサイズやミニサイズのティッシュペーパ用に限らず、縦２３０ｍｍ程度×横１１０ｍｍ程度に折り畳まれるレギュラーサイズのティッシュペーパ用としても適用可能である。
【００２３】
一方、落し蓋３と開口カバー５は上述のように必ずしも別個独立に構成しなければならないものでなく、収容部内に芳香材を収容した状態で一体構成にしたものでも構わない。また、収容部１４内が透視可能であるならば、開口カバー５または落し蓋３のいずれか一方のみを透明材ないし半透明材で形成してもよい。そして、芳香材２０としてはポプリに限らず、香料を染み込ませた多孔質の芳香ビーズなどを採用することも可能である。
【００２４】
【発明の効果】
以上述べたように、本発明に係るティッシュボックスによれば、芳香材の香りが落し蓋の連通孔を通して外部に散出するので、ティッシュペーパの使用者はもとよりボックス周囲もほのかな香りを楽しむことができる。従って、ノベルティとして頂いた品のないティッシュペーパでも、本発明のティッシュボックスに詰め替えることにより上品なものとして付加価値が高められる。
【００２５】
また、開口カバーを取り外して出し入れ開口を開くことにより、収容部の芳香材を詰め替えることができる。例えば、そのときの気分により芳香ビーズからポプリに代えてみたり、あるいは同じポプリであっても種類やブレンド比率の異なるものに詰め替えたりできる。これらの詰め替え後は出し入れ開口を封止可能であるので、出し入れ開口から香りが飛散することを防止できる。
【００２６】
そして、開口カバーおよび／または落し蓋を通して外部から収容部内が透視可能にしたので、収容部内に収容されている芳香材を見て楽しむことができる。ポプリの場合はナチュラルな視覚情報により気分をなごませることができる。
【００２７】
更に、落し蓋の底部で最上層のティッシュペーパと接する部位に連通孔を穿設した場合、ティッシュペーパを使用しないときは連通孔を通して芳香材の香りが最上層のティッシュペーパに移行する。その場合、連通孔は最上層のティッシュペーパであたかも蓋止されることとなるので、必要以上の香りが外部に飛散することがない。また、使用者は香りの移行した最上層のティッシュペーパを抜き出すこととなり、抜き出し動作に伴って周囲に芳香が漂う。
【００２８】
また、芳香材としてポプリを用いた場合は、ポプリから発せられる上品な微香によるアロマテラピィー効果によって、使用者は心身ともに癒される。
【図面の簡単な説明】
【図１】本発明の一実施形態に係るティッシュボックスを示す組立分解図である。
【図２】ティッシュボックスの平面図である。
【図３】図２におけるＡ−Ａ線断面図である。
【図４】ボックス本体の平面図である。
【図５】図４におけるＢ−Ｂ線断面図である。
【図６】落し蓋の平面図である。
【図７】図６におけるＣ−Ｃ線断面図である。
【図８】蓋カバーの平面図である。
【図９】図８におけるＤ−Ｄ線断面図である。
【符号の説明】
１      ティッシュボックス
２      ボックス本体
３      落し蓋
５      開口カバー
８      ペーパ収容部
９      上面開口
１０    底部
１３    ペーパ取出口
１４    収容部
１５    連通孔
２０    芳香材
２１    出し入れ開口
Ｐ，Ｐｔ  ティッシュペーパ
【図１】
0004388631.tif 000002
【図２】
0004388631.tif 000003
【図３】
0004388631.tif 000004
【図４】
0004388631.tif 000005
【図５】
0004388631.tif 000006
【図６】
0004388631.tif 000007
【図７】
0004388631.tif 000008
【図８】
0004388631.tif 000009
【図９】
0004388631.tif 000010